(57)【要約】      （修正有）【課題】紙面上からもＷｅｂページ上からも修正可能なＤＴＰデータおよびＷｅｂページ・データを制作する。【解決手段】紙面台紙上およびＷｅｂ台紙上にオブジェクトを配置し，オブジェクト特定情報とその配置位置を記憶する。紙面台紙上およびＷｅｂ台紙上に同一のオブジェクト（共通オブジェクト）を配置した場合には，そのオブジェクト特定情報を同じに設定しておく。これにより，紙面またはＷｅｂ上の一方でオブジェクトを修正したときに，同一のオブジェクト特定情報を手掛りに他方の共通オブジェクトも同じように修正できる（コピーすればよい）。【選択図】図１
2015005184.tif 000002
【特許請求の範囲】
【請求項１】
それぞれがオブジェクトを特定する情報をもつ複数のオブジェクトについて，紙面台紙上およびウェブ台紙上のそれぞれにおける配置を，オブジェクトごとに，同一のオブジェクトが紙面台紙上およびウェブ台紙上の両方に配置される共通オブジェクトについてはそれを特定する同一のオブジェクト特定情報を用いて，決定するレイアウト決定手段，ならびに
上記レイアウト決定手段によって決定された各オブジェクトの配置情報を記憶する記憶手段，
を備える電子組版システム。
【請求項２】
紙面台紙上およびウェブ台紙上の一方においてオブジェクトが修正された場合に，同一のオブジェクト特定情報をもつオブジェクトを紙面台紙上およびウェブ台紙上の他方において同じように修正するオブジェクト修正手段，
をさらに備える請求項１に記載の電子組版システム。
【請求項３】
上記記憶手段に記憶されたウェブ台紙上のオブジェクトにウェブデータに必要なタグを割り当てるタグ割当て手段，および
上記記憶手段に記憶されかつタグが割り当てられたウェブ台紙上のオブジェクト配置情報をウェブ用言語で書き出してウェブデータファイルを作成するウェブデータファイル作成手段，
をさらに備えた請求項１または２に記載の電子組版システム。
【請求項４】
上記記憶手段に記憶されるオブジェクトの配置情報は，紙面台紙かウェブ台紙かの別，台紙上におけるオブジェクトの配置位置，オブジェクトの内容およびオブジェクト特定情報を含む，請求項１から３のいずれか一項に記載の電子組版システム。
【請求項５】
上記レイアウト決定手段が，複数のオブジェクトを含みかつ識別符号が割り当てられたデータ・レコードを単位とするデータについて，紙面台紙上およびウェブ台紙上に上記単位ごとにオブジェクトを配置するものであり，
上記記憶手段に記憶される配置情報に含まれるオブジェクト特定情報が，上記単位を表わす識別符号と上記単位内においてオブジェクトを識別する情報とを含む，
請求項１から４のいずれか一項に記載の電子組版システム。
【請求項６】
ＤＴＰデータを作成する手段をさらに備えた，請求項１から５のいずれか一項に記載の電子組版システム。
【請求項７】
紙面台紙上に配置されたオブジェクトとウェブ台紙上に配置されたオブジェクトのそれぞれについて，オブジェクト特定情報と位置情報とを含む配置情報を記憶するものであって，同一のオブジェクトが紙面台紙上およびウェブ台紙上の両方に配置される共通オブジェクトについてはそれを特定する同一のオブジェクト特定情報が用いられている，そのようなオブジェクト配置情報を記憶する記憶手段，および
紙面台紙上およびウェブ台紙上の一方においてオブジェクトが修正された場合に，上記記憶手段に記憶されたオブジェクト配置情報に基づいて，同一のオブジェクト情報をもつオブジェクトを紙面台紙上およびウェブ台紙上の他方において同じように修正するオブジェクト修正手段，
を備えるオブジェクト修正装置。
【請求項８】
それぞれがオブジェクトを特定する情報をもつ複数のオブジェクトについて，紙面台紙上およびウェブ台紙上のそれぞれにおける配置を，オブジェクトごとに，同一のオブジェクトが紙面台紙上およびウェブ台紙上の両方に配置される共通オブジェクトについてはそれを特定する同一のオブジェクト特定情報を用いて，決定し，
決定された各オブジェクトの配置情報を記憶する，
電子組版方法。
【請求項９】
紙面台紙上およびウェブ台紙上の一方においてオブジェクトが修正された場合に，同一のオブジェクト特定情報をもつオブジェクトを紙面台紙上およびウェブ台紙上の他方において同じように修正する，
請求項８に記載の電子組版方法。
【請求項１０】
紙面台紙上に配置されたオブジェクトとウェブ台紙上に配置されたオブジェクトのそれぞれについて，オブジェクト特定情報と位置情報とを含む配置情報であって，同一のオブジェクトが紙面台紙上およびウェブ台紙上の両方に配置される共通オブジェクトについてはそれを特定する同一のオブジェクト特定情報が用いられている，そのようなオブジェクト配置情報を記憶させ，
紙面台紙上およびウェブ台紙上の一方においてオブジェクトが修正された場合に，上記記憶手段に記憶されたオブジェクト配置情報に基づいて，同一のオブジェクト情報をもつオブジェクトを紙面台紙上およびウェブ台紙上の他方において同じように修正させる，
コンピュータによるオブジェクト修正方法。
【請求項１１】
それぞれがオブジェクトを特定する情報をもつ複数のオブジェクトについて，紙面台紙上およびウェブ台紙上のそれぞれにおける配置を，オブジェクトごとに，同一のオブジェクトが紙面台紙上およびウェブ台紙上の両方に配置される共通オブジェクトについてはそれを特定する同一のオブジェクト特定情報を用いて，決定し，決定された各オブジェクトの配置情報を記憶するようにコンピュータを制御するための，
電子組版プログラム。
【請求項１２】
紙面台紙上およびウェブ台紙上の一方においてオブジェクトが修正された場合に，同一のオブジェクト特定情報をもつオブジェクトを紙面台紙上およびウェブ台紙上の他方において同じように修正するようにコンピュータを制御するための請求項11に記載の電子組版プログラム。
【請求項１３】
紙面台紙上に配置されたオブジェクトとウェブ台紙上に配置されたオブジェクトのそれぞれについて，オブジェクト特定情報と位置情報とを含む配置情報であって，同一のオブジェクトが紙面台紙上およびウェブ台紙上の両方に配置される共通オブジェクトについてはそれを特定する同一のオブジェクト特定情報が用いられている，そのようなオブジェクト配置情報を記憶させ，
紙面台紙上およびウェブ台紙上の一方においてオブジェクトが修正された場合に，上記記憶手段に記憶されたオブジェクト配置情報に基づいて，同一のオブジェクト情報をもつオブジェクトを紙面台紙上およびウェブ台紙上の他方において同じように修正させるようにコンピュータを制御するためのプログラム。
【発明の詳細な説明】
【技術分野】
【０００１】
この発明はＤＴＰ（Desk Top Publishing ）による紙面上の組版（ＤＴＰデータ）およびウェブサイト上の組版（Ｗｅｂデータ）を制作するシステム，ＤＴＰデータおよびＷｅｂデータを相互に修正するシステム，ならびにそれらの方法およびプログラムに関する。
【背景技術】
【０００２】
カタログ，チラシ等の印刷物や電子書籍をＤＴＰにより制作することは既に一般的である。
【０００３】
カタログやチラシなどのＤＴＰ編集を効率的に進めるために，電子組版システムが開発され，実用化されている。たとえば，商品番号，商品名，価格，商品説明等のフィールド情報からなる商品情報テキスト（レコード・データ）と画像データ，レイアウト・テンプレートとなる小組ファイル，および最終的な紙面データとなる台紙データを準備し，テキストデータおよび画像データを小組ファイルに割り付けて，１つの小組に自動組版を行ない，さらにそれらの小組を台紙の指定の場所に配置するものである。
【０００４】
他方，メーカーや販売業者が取り扱っている商品の印刷物（カタログなど）を自社のウェブ（Ｗｅｂ）サイトのページ（Ｗｅｂページ）に掲載することも一般的である。Ｗｅｂページに掲載するためにはＷｅｂ用のデータファイル（ＨＴＭＬ形式データ）を作成する必要がある。
【０００５】
その作成方法として，カタログなど印刷物の制作が，Ｗｅｂページの制作よりも先行して行われていた場合，Ｗｅｂ用データとして印刷物のＤＴＰデータを流用することが多い。その方法は，ＤＴＰデータ上で使用されている商品の価格や説明文をＷｅｂ用データファイル上に単にコピー・アンド・ペーストする，または同じ文章等をＨＴＭＬ形式で手入力して行うというものである。
【０００６】
特許文献１に記載の自動組版システムはＸＭＬ形式で作られているデータを用いてＤＴＰデータを制作するものである。ＸＭＬ形式のデータはＨＴＭＬ形式のＷｅｂ用データと親和性が高く，スキーマを組めば自動変換が可能となる。
【先行技術文献】
【特許文献】
【０００７】
【特許文献１】特開２００７−４５８３号公報
【０００８】
しかしながら問題は，テキスト中の文言や画像を修正するときである。データベース上のデータを修正して再度組版するのではなくＤＴＰデータを修正することが多い。それは自動組版システム上には修正ツールがありＤＴＰデータを直接に修正する方が手間が少なく，かつ容易であるからである。しかしながらＤＴＰデータを修正してもそれがＷｅｂデータに自動的に反映される訳ではなく，Ｗｅｂデータの修正も行なわなければならない。
【０００９】
ＤＴＰオペレータはＸＭＬ編集の知識を持っていないことが多いので文献１に記載のシステムでは修正がかえってめんどうである。
【発明の開示】
【００１０】
この発明は紙面上からでもＷｅｂページ上からでも修正が可能なＤＴＰデータおよびＷｅｂページ・データを制作することのできる電子組版システム，方法およびプログラムを提供することを目的とする。
【００１１】
この発明はまた，ＤＴＰデータ上およびＷｅｂページ・データ上のいずれか一方で修正を行うと，同じ対象が他方においても自動的に同じように修正されるシステム，方法およびプログラムを提供することを目的とする。
【００１２】
この発明はさらに，Ｗｅｂページ・データ・ファイルを組版によって生成することのできるシステム，方法およびプログラムを提供することを目的とする。
【００１３】
この発明による電子組版システムは，それぞれがオブジェクトを特定する情報をもつ複数のオブジェクトについて，紙面台紙上およびウェブ台紙上のそれぞれにおける配置を，オブジェクトごとに，同一のオブジェクトが紙面台紙上およびウェブ台紙上の両方に配置される共通オブジェクトについてはそれを特定する同一のオブジェクト特定情報を用いて，決定するレイアウト決定手段，ならびに上記レイアウト決定手段によって決定された各オブジェクトの配置情報を記憶する記憶手段を備えているものである。
【００１４】
オブジェクト配置情報には，共通オブジェクトの場合に，紙面上とウェブ上とで同じオブジェクト特定情報が含まれているから，一方での修正を他方に反映することができる。
【００１５】
すなわち，電子組版システムは，さらに紙面台紙上およびウェブ台紙上の一方においてオブジェクトが修正された場合に，同一のオブジェクト特定情報をもつオブジェクトを紙面台紙上およびウェブ台紙上の他方において同じように修正するオブジェクト修正手段を備える。他方における修正はオブジェクトの単なるコピーでよい。
【００１６】
電子組版システムはウェブサイトに掲載するためのウェブデータファイルを作成することができる。すなわち，この電子組版システムは，上記記憶手段に記憶されたウェブ台紙上のオブジェクトにウェブデータに必要なタグを割り当てるタグ割当て手段，および上記記憶手段に記憶されかつタグが割り当てられたウェブ台紙上のオブジェクト配置情報をウェブ用言語で書き出してウェブデータファイルを作成するウェブデータファイル作成手段を備える。ウェブ用言語はたとえばＨＴＭＬである。
【００１７】
このようにして，通常のＤＴＰデータとウェブデータファイルとを一緒に制作することができる。この電子組版システムは従来からのＤＴＰデータ作成手段をもちろん備えるものでもよい。
【００１８】
上記記憶手段に記憶されるオブジェクトの配置情報には，一例として，紙面台紙かウェブ台紙かの別，台紙上におけるオブジェクトの配置位置，オブジェクトの内容およびオブジェクト特定情報が含まれる。
【００１９】
他の実施態様では複数のオブジェクトを含むデータ・レコードを単位とするデータの組版も可能である。この単位は，たとえば商品（の種類）である。すなわち，商品ごとに，データ・レコードにはその画像やテキスト等の複数のオブジェクトが含まれる。
【００２０】
この発明の好ましい一実施態様においては，上記レイアウト決定手段が，複数のオブジェクトを含みかつ識別符号が割り当てられたデータ・レコードを単位とするデータについて，紙面台紙上およびウェブ台紙上に上記単位ごとにオブジェクトを配置するものであり，上記記憶手段に記憶される配置情報に含まれるオブジェクト特定情報が，上記単位を表わす識別符号と上記単位内においてオブジェクトを識別する情報（たとえばフィールド等）とを含む。
【００２１】
この発明は，電子組版システムにおけるオブジェクト修正装置も提供している。
【００２２】
このオブジェクト修正装置は，紙面台紙上に配置されたオブジェクトとウェブ台紙上に配置されたオブジェクトのそれぞれについて，オブジェクト特定情報と位置情報とを含む配置情報を記憶するものであって，同一のオブジェクトが紙面台紙上およびウェブ台紙上の両方に配置される共通オブジェクトについてはそれを特定する同一のオブジェクト特定情報が用いられている，そのようなオブジェクト配置情報を記憶する記憶手段，および紙面台紙上およびウェブ台紙上の一方においてオブジェクトが修正された場合に，上記記憶手段に記憶されたオブジェクト配置情報に基づいて，同一のオブジェクト情報をもつオブジェクトを紙面台紙上およびウェブ台紙上の他方において同じように修正するオブジェクト修正手段を備えるものである。
【００２３】
このオブジェクト修正装置によると，紙面，Ｗｅｂ上のいずれかでオブジェクトを修正すると，その内容が自動的に他方に反映されるので修正作業がきわめて容易である。
【００２４】
この発明による電子組版方法は，それぞれがオブジェクトを特定する情報をもつ複数のオブジェクトについて，紙面台紙上およびウェブ台紙上のそれぞれにおける配置を，オブジェクトごとに，同一のオブジェクトが紙面台紙上およびウェブ台紙上の両方に配置される共通オブジェクトについてはそれを特定する同一のオブジェクト特定情報を用いて，決定し，決定された各オブジェクトの配置情報を記憶するものである。
【００２５】
この発明は，オブジェクトの修正のために，紙面台紙上およびウェブ台紙上の一方においてオブジェクトが修正された場合に，同一のオブジェクト特定情報をもつオブジェクトを紙面台紙上およびウェブ台紙上の他方において同じようにコピーにより修正する方法もまた提供している。
【００２６】
すなわち，この発明によるコンピュータによるオブジェクト修正方法は，紙面台紙上に配置されたオブジェクトとウェブ台紙上に配置されたオブジェクトのそれぞれについて，オブジェクト特定情報と位置情報とを含む配置情報であって，同一のオブジェクトが紙面台紙上およびウェブ台紙上の両方に配置される共通オブジェクトについてはそれを特定する同一のオブジェクト特定情報が用いられている，そのようなオブジェクト配置情報を記憶させ，紙面台紙上およびウェブ台紙上の一方においてオブジェクトが修正された場合に，上記記憶手段に記憶されたオブジェクト配置情報に基づいて，同一のオブジェクト情報をもつオブジェクトを紙面台紙上およびウェブ台紙上の他方において同じように修正させるものである。
【００２７】
この発明による電子組版のためのコンピュータ・プログラムは，それぞれがオブジェクトを特定する情報をもつ複数のオブジェクトについて，紙面台紙上およびウェブ台紙上のそれぞれにおける配置を，オブジェクトごとに，同一のオブジェクトが紙面台紙上およびウェブ台紙上の両方に配置される共通オブジェクトについてはそれを特定する同一のオブジェクト特定情報を用いて，決定し，決定された各オブジェクトの配置情報を記憶するようにコンピュータを制御するものである。
【００２８】
このプログラムは，さらに，紙面台紙上およびウェブ台紙上の一方においてオブジェクトが修正された場合に，同一のオブジェクト特定情報をもつオブジェクトを紙面台紙上およびウェブ台紙上の他方において同じように修正するようにコンピュータを制御するためのプログラム部分を備える。
【００２９】
この発明には電子組版システムにおけるオブジェクト修正のためのコンピュータ・プログラムは，紙面台紙上に配置されたオブジェクトとウェブ台紙上に配置されたオブジェクトのそれぞれについて，オブジェクト特定情報と位置情報とを含む配置情報であって，同一のオブジェクトが紙面台紙上およびウェブ台紙上の両方に配置される共通オブジェクトについてはそれを特定する同一のオブジェクト特定情報が用いられている，そのようなオブジェクト配置情報を記憶させ，紙面台紙上およびウェブ台紙上の一方においてオブジェクトが修正された場合に，上記記憶手段に記憶されたオブジェクト配置情報に基づいて，同一のオブジェクト情報をもつオブジェクトを紙面台紙上およびウェブ台紙上の他方において同じように修正させるようにコンピュータを制御するためのものである。
【図面の簡単な説明】
【００３０】
【図１】電子組版システム（装置）の電気的構成の概要を示すブロック図である。
【図２】データ・レコードの一例を示す。
【図３】紙面台紙上へのオブジェクトの配置例を示す。
【図４】Ｗｅｂ台紙上へのオブジェクトの配置例を示す。
【図５】小組レイアウトパターンの例を示す。
【図６】小組レイアウトパターンの情報の例を示す。
【図７】データ・レコードに対して使用する小組レイアウトパターンの設定例を示す。
【図８】データ・レコードのフィールドが使用する小エリア名とＨＴＭＬタグの割り当ての例を示す。
【図９】紙面台紙およびＷｅｂ台紙上への小組配置例を示す。
【図１０】紙面台紙およびＷｅｂ台紙のレイアウトパターンの情報の例を示す。
【図１１】台紙レイアウト上のオブジェクト情報（メタ情報）の例を示す。
【図１２】生成されたＨＴＭＬの例を示す。
【図１３】紙面台紙およびＷｅｂ台紙上にオブジェクトを配置し，ＤＴＰデータおよびＷｅｂデータファイルを併行して作成する処理の手順を示すフローチャートである。
【図１４】オブジェクトの修正処理の手順を示すフローチャートである。
【実施例】
【００３１】
図１は電子組版システム（装置）の電気的構成の概要を示すものである。このシステムは，後述するところから明らかになるように，チラシ，カタログ，電子書籍等の紙面組版データ（ＤＴＰデータ，ＤＴＰレイアウト・データ，製版データ，下版データ，紙面レイアウト・データ等とも呼ばれる）（以下，ＤＴＰデータという）を制作する機能，ＤＴＰデータの制作と併行して（または別個に）Ｗｅｂ（ウェブ）ページに掲載するためのＷｅｂ用データファイル（ＨＴＭＬ形式データ）を制作する機能，ＤＴＰデータとＷｅｂ用データに同じデータ（たとえば或る商品についてのＤＴＰとＷｅｂに共通のオブジェクト）が含まれているときに，ＤＴＰデータまたはＷｅｂ用データのいずれか一方を修正すると他方を自動的に修正する機能（ＤＴＰ，Ｗｅｂ相互修正機能）等を実行することができる。電子組版システム10は，たとえば，パーソナル・コンピュータ等により構成されており，制御部11，記憶部12，操作部13，表示部14およびインターフェース部（Ｉ／Ｆ部）15を備えている。この電子組版システム10は，ＤＴＰレイアウト・データ作成装置（手段）（レイアウト編集装置（手段）），Ｗｅｂ用ファイル・データ制作装置（手段），ＤＴＰ，Ｗｅｂ相互修正装置（手段）を含むということができる。
【００３２】
記憶部12は，たとえば，ハードディスク・ドライブや不揮発性メモリ等により構成されており，オペレーティング・システムや，アプリケーション等の各種プログラム，各種データ（ＤＴＰレイアウト・データ，各種テーブル，オブジェクト等）等を記憶する。これらのアプリケーション・プログラムには，ＤＴＰレイアウト・データを編集するためのレイアウト編集用アプリケーション（一般的なレイアウト・ソフトを含む），後述するＷｅｂ用ファイル・データ制作用プログラム（その一部はＤＴＰレイアウト・プログラムに含まれていてもよい），ＤＴＰ，Ｗｅｂ相互修正プログラム等を行うプログラム等が含まれている。これらのプログラムはサーバ装置等からネットワークを介して取得するようにしてもよいし，記録媒体に記録されたものを読み込むようにしてもよい。
【００３３】
操作部13は，たとえばキーボード，マウス等により構成されており，ユーザ（オペレータまたは編集者）の入力操作を受け付け，入力操作に応じた操作信号を制御部11に送る。表示部14は，液晶ディスプレイ装置等で構成されており，制御部11の制御の下，ＤＴＰレイアウト，メニューなどの各種ウィンドウ等を表示する。Ｉ／Ｆ部15は，スキャナやプリンタ等の周辺機器との間で送受信するデータの変換等を行う。
【００３４】
制御部11は，演算機能を有するＣＰＵ，ＲＯＭ，作業用のＲＡＭ等を備えており，操作部13からの操作信号に基づいて，当該操作信号によって指示された処理（レイアウト編集処理，Ｗｅｂ用ファイル・データ制作処理，ＤＴＰ，Ｗｅｂ相互修正処理）等を行い，その結果を記憶部12，表示部14，Ｉ／Ｆ部15に出力する。
【００３５】
電子組版システム10が実行する処理のうち，ＤＴＰ（ファイル）データとＷｅｂデータファイルを併行して制作する処理が図13に，ＤＴＰデータとＷｅｂデータファイル中の特定のオブジェクト（ＤＴＰデータとＷｅｂデータに共通に登場するオブジェクト（画像，テキスト））がＤＴＰデータまたはＷｅｂデータのいずれか一方において修正されたときに他方の該当（対応）するオブジェクトを自動的に修正する処理が図14に，それぞれ示されている。これらのフローチャートの流れにしたがって，図２から図12を参照して上記の各処理について以下に詳しく説明する。図13に示すフローチャートに従う処理の流れは一例であり，各処理の順序は適宜入れ替えることができる。
【００３６】
以下の実施例では，複数の商品を掲載した紙のチラシ（またはカタログ）のＤＴＰデータと，紙のチラシに掲載する商品と一部重複する（同一の）商品を含むＷｅｂ（ウェブ）サイト上に掲載する電子チラシのＷｅｂデータとを併行して制作する処理について説明するものである。
【００３７】
図２はチラシ（紙チラシおよび電子チラシ）に掲載する商品についてのデータ・レコードの例を示している。１つ（１種類）の商品について１レコード（図２の横一列のデータ群）のデータがある。これらのデータは記憶部12に記憶されているか，またはデータサーバから送信されたものを受信し記憶部12に格納したものである。いずれにしてもこれらのデータ・レコード（レコード・データ）は制御部11または記憶部12のワーク・エリアに読込まれる（図13，Ｓ１）。データ・レコードについて管理番号（１〜６）が付けられている。この管理番号は各データ・レコードにユニークなものであり，各データ・レコードを特定（識別）するためのコードである。各データ・レコードには複数のフィールドがあり，この実施例では各フィールドは商品名，商品画像，商品説明文および商品価格（これらをデータの種類という）に割当てられている。商品名はこの実施例ではレイアウトの都合上表示されていない。商品画像はその画像データのファイル名で表わされ，ファイル名がフィールドに格納されている。商品説明文（一般には図２に図示のものより長い文が多い）および商品価格はテキストデータである。商品説明文等もそのテキストのファイル名で表わしてもよい。
【００３８】
図３および図４は図２に示すデータ・レコードを用いて制作されたＤＴＰデータおよびＷｅｂデータの完成した形を紙面台紙上およびＷｅｂ台紙上への配置例（表示画面における表示画像例）としてそれぞれ示すものである。紙面台紙，Ｗｅｂ台紙とは，絶対座標（図９に示すＸＹ座標）をもち，オブジェクトを配置するための２次元平面で，メモリまたはプログラム上に仮想されたものである。後述するように，台紙の左上の角が絶対座標の原点にとられる。絶対座標は印刷（プリント）または表示されるオブジェクトの紙面または表示面上の配置位置を示す。オブジェクトとは画像またはテキストを指す。
【００３９】
図３に示す紙面台紙20上には，後に詳述するが，それぞれデータ・レコードを単位として，そのレコード・データによって表わされるオブジェクト（画像，テキスト）を表示（印刷）する領域（小組レイアウト領域，小組配置領域）21〜26がレイアウトされている。これらの領域21〜26に表示されるオブジェクトはそれぞれ管理番号１〜６のデータ・レコード（図２）によって表わされるものである。
【００４０】
図４に示すＷｅｂ台紙30上にも，レコード・データによって表わされるオブジェクトを表示する領域（小組レイアウト領域，小組配置領域）31，32，35がレイアウトされている。これらの領域31，32，35には管理番号１，２，５が割当てられたデータ・レコードによって表わされるオブジェクトが表示される。したがって，管理番号１，２，５のデータ・レコードが紙面台紙20とＷｅｂ台紙30に共通のものである（これらのデータ・レコード中のオブジェクトは共通オブジェクトである）。Ｗｅｂ台紙30上に紙面台紙20上には配置されていないオブジェクトを配置するようにしてもよいのはいうまでもない。
【００４１】
図３，図４に示す台紙20，30上の各領域21〜26，31，32，35上にレコード・データによって表わされるオブジェクトを配置するために，小組レイアウトパターンが作成される（図13，Ｓ２）。この実施例では，図５に示すように，紙面台紙20用に２種類の小組レイアウトパターンＡ，Ｂが，Ｗｅｂ台紙30用に２種類の小組レイアウトパターンａ，ｂが作成されるものとする。
【００４２】
図５を参照して小組レイアウトパターンＡについて説明すると，領域21に相当する小組領域の左上の角に相対座標（ｘｙ座標）の原点が定められる。小組領域（小エリアの全体）の形（方形）と大きさはその左上と右下の点ｐ１，ｐ２の座標で表わされる。この小組領域内に１つの画像と２つのテキスト（テキスト１，テキスト２）が配置される小エリアが定められる。これらの画像，テキスト１，テキスト２をオブジェクトの種類という。そして，各オブジェクトの配置小エリアの形（方形）と大きさおよび位置も，各小エリアの左上と右下の点（ｐ３とｐ４，ｐ５とｐ６，ｐ７とｐ８）の相対座標で表わされる。これをデータの形でまとめたのが図６に小組レイアウトパターンＡ（小組レイアウト情報）として表で表わされている。
【００４３】
図５に示すように，小組レイアウトパターンＡは，画像，テキスト１，テキスト２の小エリアが上下に配置されているものであり，これは図３の小組領域21〜24のレイアウトで用いられる。小組レイアウトパターンＢは，画像の小エリア下にテキスト１とテキスト２の小エリアが横に配置されたレイアウトを示す。これは図３の小組領域25，26のレイアウトで用いられる。
【００４４】
Ｗｅｂ台紙30上における小組領域内のレイアウトのための小組レイアウトパターンａは，図５に示すように，画像の小エリアが左上の方に配置され，その下に横幅全体にわたってテキスト１とテキスト２の小エリアが上下配置されている。これはＷｅｂ台紙30上の小組領域31，32内のレイアウトに用いられる。小組レイアウトパターンｂは，画像とテキスト１が左右に配置され，その下にテキスト２が横幅一杯に配置される。これはＷｅｂ台紙30上の小組領域35内のレイアウトに用いられる。これらのレイアウトパターンＡ，Ｂ，ａ，ｂの小組レイアウト情報（各小エリアの左上と右下の相対座標）が図６に示されている。これらの各小組レイアウトパターンＡ，Ｂ，ａ，ｂは図５に示すようなパターン図を表示部14に表示しながら操作部13からの入力により作成され，作成されたレイアウト情報は記憶部12に記憶される。他のパターンの小組レイアウトパターンを設けてもよい。これらのレイアウトパターンは必要なものをあらかじめ作成して記憶しておき，使用する都度読出すようにしてもよい。すなわち，図13のＳ２の処理は小組レイアウトパターン作成ではなく，小組レイアウトパターン読出しとしてもよい。
【００４５】
上述した小組レイアウトパターンは，レイアウトすなわち配置の形を定めるものである。図２に示す各データ・レコードにどのパターンを使用（適用）するのか，各データ・レコード中のフィールドのオブジェクトを小組レイアウトパターン中のどの小エリアにあてはめるのかを定めるのが小組レイアウトパターン設定（図13，Ｓ３）である。
【００４６】
小組レイアウトパターンＡ，Ｂ，ａ，ｂは１つのデータ・レコード（商品）によって表わされるオブジェクトを収めることができるように作成されている。そこで図７に示すように，データ・レコードの各管理番号に対応して，適用すべき紙面小組レイアウトパターンＡまたはＢ，Ｗｅｂ小組レイアウトパターンａまたはｂを割当てる（Ａ，Ｂ，ａ，ｂは小組レイアウトパターンを特定する識別符号）。台紙上に配置（表示，プリント（印刷））されないデータ・レコードについては小組レイアウトパターンは割当てられない。
【００４７】
次に図８に示すように，各小組レイアウトパターンにおいて作成された画像やテキスト１，２等のオブジェクトの小エリア（「画像」，「テキスト１」，「テキスト２」等が小エリア名，またはオブジェクトの種類）について，そこに配置（表示，プリント）されるオブジェクトデータのフィールド（商品画像，商品説明文，商品価格等のフィールド名）を割当てる。
【００４８】
これによって，データ・レコード（商品）ごとに，どの小組レイアウトパターンを用い，その小組レイアウトパターン内のどの小エリアにどのオブジェクトデータを描画すればよいかが定められることになる。これは，図５に示すような小組レイアウトパターンまたは図７，８に示すような表を表示部14の表示画面に表示しながら，操作部13により必要な事項を入力することにより設定することができる。
【００４９】
次に台紙設定，すなわち台紙上のどこに小組（小組レイアウトパターン内にデータ・レコードのオブジェクトが配置されたもの）を配置するか，という設定が行なわれる（図13，Ｓ４）。
【００５０】
図９に示すように，紙面台紙の左上の角に原点を持つ絶対座標上において，小組配置領域Ｒ１〜Ｒ６が設定される。これは，図９に示すような紙面台紙を表示部14に表示し，表示画面上において操作部13からの入力により小領域Ｒ１〜Ｒ６を設定しておくことにより行われる。これにより制御部11において，図10に示すように，紙面台紙の左上の点を原点とする絶対座標系（ＸＹ座標）において，紙面台紙全体，各小組領域Ｒ１〜Ｒ６の左上および右下の座標が作成される。
【００５１】
Ｗｅｂ台紙についても同様に，図９，図10に示すように，小組配置領域ｒ１〜ｒ３が定められる。
【００５２】
次に，このようにして作成された紙面台紙およびＷｅｂ台紙上において，各小組配置領域Ｒ１〜Ｒ６およびｒ１〜ｒ３に配置する（表示する，プリントする）オブジェクトを含むデータ・レコードを割当てる（台紙設定，図13，Ｓ５）。これは各領域Ｒ１〜Ｒ６，ｒ１〜ｒ３にデータ・レコードの管理番号を割当てればよい。図10に破線で示すように，紙面台紙レイアウトパターンの各領域に対して管理番号を割当ててもよいし，図11に示すように，台紙レイアウト上のオブジェクト情報（メタ情報）の中に管理番号を割当ててもよい。
【００５３】
図11の台紙レイアウト上のオブジェクト情報の表において，ＩＤは，各オブジェクト（または小組内の小エリア）にユニークなコードであり，これに対応して，小組内の小エリアの絶対座標（各小組の小エリアの相対座標を台紙上の絶対座標に変換したもの）が記述されている。
【００５４】
以上により，紙面台紙およびＷｅｂ台紙において，小組配置領域が定まり，各小組配置領域内に配置すべきデータ・レコードが割当てられ，各小組配置領域内の小組レイアウトパターンが設定され，小組レイアウトパターン内の小エリアに配置すべきオブジェクト（フィールドのデータ）が設定されたので，制御部11は，レコード・データによって表わされる画像，テキストを対応する小エリアに展開（描画）する（図13，Ｓ６）。これにより，図３および図４に示すような表示またはプリントを生じさせるＤＴＰデータおよびＷｅｂデータが作成される。
【００５５】
そして，図11に示す台紙レイアウト上のオブジェクト情報（メタ情報）として，ユニークなＩＤおよび各小組レイアウト上のすべての小エリアの配置位置（ＸＹ座標）に対応して，台紙タイプ（紙面かＷｅｂか），オブジェクトの種類（これはデータ・レコードのフィールドに対応），データ・レコードを表わす管理番号，表示するデータの内容の記述を含むデータが制御部11によって作成される。また，Ｗｅｂデータファイルを作成するために必要なＨＴＭＬタグ（テキストの場合ｐ，画像の場合img ）がＷｅｂデータ中の各オブジェクトの種類に対応して記述される（図13，Ｓ７）。
【００５６】
Ｗｅｂ用台紙を作成した場合には（図13，Ｓ８でYES ），図11に示すＷｅｂデータにしたがって，図12に示すようなＨＴＭＬデータ（Ｗｅｂデータファイル）が作成される（図13，Ｓ９）。図11と図12との対比から分るように，図11の表の内容をＨＴＭＬ形式で記述したのが図12のＨＴＭＬデータである。
【００５７】
図11に示す台紙レイアウト上のオブジェクト情報によれば，紙面台紙とＷｅｂ台紙上に同じデータ・レコード内の各フィールドのオブジェクトが配置されている場合には（共通オブジェクトがある場合には），データ・レコードの管理番号とオブジェクトの種類（データ・レコード中のフィールドに対応）により，それらが対応している（同じオブジェクトである。共通オブジェクトである。）ことが分る。また，オブジェクトの内容（テキストデータ，画像ファイル名，テキストファイル名等）も記述されている。これにより，次に述べるように，紙面台紙またはＷｅｂ台紙のいずれか一方の台紙上の特定のオブジェクトを修正した場合には，制御部11により自動的に他方の台紙上の対応するオブジェクトも同じように修正される（同じものがコピーされる）。
【００５８】
すなわち，図14を参照して，修正処理においては表示部14の表示画面に，紙面台紙かＷｅｂ台紙かを選択する画面が表示され，ユーザはいずれかを選択する。すると，図３または図４に示す先に作成された台紙の表示画面が出てくる。または，図11に示すような台紙レイアウト上のオブジェクト情報を表示してもよい。
【００５９】
ユーザは表示画面上で紙面台紙またはＷｅｂ台紙上で所要箇所のオブジェクトを修正する（図14，Ｓ11）。すると，制御部11は台紙レイアウト上のオブジェクト情報（図11）を参照して，修正されたオブジェクトと共通するオブジェクト（管理番号とオブジェクト種類（フィールド）が同じオブジェクト）を捜し出し，そのオブジェクトとして上記の修正されたオブジェクトを，台紙レイアウト上のオブジェクト情報（図11）にコピーする（図14，Ｓ12）。これにより，紙面台紙またはＷｅｂ台紙上の一方で修正されたオブジェクトの内容が他方の共通オブジェクトに反映される。
【符号の説明】
【００６０】
10  電子組版システム
11  制御部
12  記憶部
13  操作部
14  表示部
15  Ｉ／Ｆ部
20  紙面台紙
21〜26  小組領域
30  Ｗｅｂ台紙
31，32，35  小組領域
【図１】
2015005184.tif 000003
【図２】
2015005184.tif 000004
【図５】
2015005184.tif 000005
【図６】
2015005184.tif 000006
【図７】
2015005184.tif 000007
【図８】
2015005184.tif 000008
【図９】
2015005184.tif 000009
【図１０】
2015005184.tif 000010
【図１１】
2015005184.tif 000011
【図１２】
2015005184.tif 000012
【図１３】
2015005184.tif 000013
【図１４】
2015005184.tif 000014
【図３】
2015005184.tif 000015
【図４】
2015005184.tif 000016